(57)【要約】【課題】一連の薬袋を纏めて取り扱えるうえ薬袋トレーの利用も可能な薬袋袋詰機を実現する。【解決手段】投入予定薬剤の情報を印字された単票状態の薬袋２に薬剤３を投入する薬袋袋詰機１０において、薬袋２に貫通穴２ｂを開けるカッター機構５２と、細長いハンガー部材５３を着脱自在に保持するハンガー保持機構５４と、貫通穴２ｂにハンガー部材５３を挿通させてハンガー部材５３に薬袋２を吊す懸吊手段５５と、ハンガー部材５３を受入可能なところへトレー５６を搬送する搬器搬送機構５７とを設ける。また、ボトル払出装置を搬器搬送機構５７の上流に設ける。さらに、ボトルの首の断面よりも薬袋２の貫通穴２ｂを広くする。【選択図】        図１
2004148035.tif 000002
【特許請求の範囲】
【請求項１】
投入予定薬剤の情報を印字された単票状態の薬袋に薬剤を投入する薬袋袋詰機において、前記薬袋に貫通穴を開けるカッター機構と、細長いハンガー部材を着脱自在に保持するハンガー保持機構と、前記貫通穴に前記ハンガー部材を挿通させて前記ハンガー部材に前記薬袋を吊す懸吊手段と、前記ハンガー部材を受入可能なところへトレーを搬送する搬器搬送機構とを設けたことを特徴とする薬袋袋詰機。
【請求項２】
輸液等のボトルを前記トレーに投入するボトル払出装置が前記搬器搬送機構の上流に設けられていることを特徴とする請求項１記載の薬袋袋詰機。
【請求項３】
前記ボトルの首の断面よりも前記薬袋の貫通穴が広いことを特徴とする請求項２記載の薬袋袋詰機。
【請求項４】
前記ハンガー部材がＵ字状のものでその一端部に逆鈎等の抜落防止用突部が形成されており、前記懸吊手段が前記ハンガー部材に前記薬袋を掛ける際に前記一端部を前記貫通穴に挿通させるものであることを特徴とする請求項１乃至請求項３の何れかに記載された薬袋袋詰機。
【発明の詳細な説明】
【０００１】
【発明の属する技術分野】
この発明は、アンプル・瓶・ＰＴＰ・箱などの容器に入った薬剤を薬袋に詰め込む薬袋袋詰機に関し、詳しくは、袋詰め後の薬剤を取り扱うための技術に関する。
【０００２】
【従来の技術】
従来の薬袋袋詰機では、袋詰めしようとしている薬剤を薬剤投入機構にて薬剤投入位置で落下させるとともに、予め薬剤投入位置の下方に口を開けた状態で薬袋を薬袋保持機構にて保持しておくことで、薬剤の自動袋詰めが行われていた。その薬剤投入機構は、投入予定薬剤の収集や搬入がトレーを用いて行われる場合には、トレーを傾動させることでトレー内の全薬剤を一気に纏めて投入するようになっている。これに対し、投入予定薬剤の収集や搬入がベルトコンベア等の搬送機構での直接搬送にて行われる場合には、各薬剤が運ばれてくる度にバラバラで投入される。もっとも、ベルトコンベア等での直接搬送の場合でも、搬送経路終端等にシャッタを付設して搬入薬剤を一時貯留するようになった薬剤投入機構では、シャッタを開けることで貯留薬剤が一気に纏めて投入される。何れにしても、薬剤投入機構におけるベルトコンベア、即ち収集後の薬剤やトレーを搬送して薬剤投入位置に至るベルトコンベアは、単線であるか単線に等しいものであった（例えば特許文献１参照）。
また、袋詰め後の薬剤に関しては、薬剤投入後直ちに薬袋をそのまま袋詰機から排出するか、ベルトコンベア等にて搬出するようになっていた。あるいは、取出・運搬用のトレー（薬袋トレー）に入れて運び出すようになっていた。
【０００３】
【特許文献１】
特開２００１−２１２２０８号公報  （第５頁、図４）
【０００４】
【発明が解決しようとする課題】
ところで、このような薬袋袋詰機は、袋詰めを自動で行うので、処理効率が良いという利点に加えて、袋詰め時もその後も人の手が薬剤に直には触れないで済むという利点もある。特に、薬袋を透明にすると、薬袋を開封しないで監査まで行えることから、施用時は別としてそれまでの薬剤と手との直接接触をほとんど無くすこともできるので、院内感染の防止効果向上等の観点からも、薬袋袋詰機利用の透明薬袋デリバリ方式が注目されつつある。
【０００５】
しかしながら、従来の薬袋袋詰機では、袋詰め後の薬剤の取扱単位が薬袋単位と薬袋トレー単位の何れであろうと、調剤の順番を最終監査時まで物理的な状態にて維持するようにはなっていない。このため、薬袋が複数あると監査時や施用時等に目視で薬袋印刷情報等を読み取って薬袋を薬剤の使用順に整列させることも必要とされ、それも薬剤師や看護婦等の作業に含まれる。この作業は、施用と同等に誤り無く行わなければならないので医療従事者に重い負担を掛けるが、監査時等に薬剤を薬袋から出し入れする状況下では避けられないものと思われていた。
【０００６】
ところが、透明薬袋を採用すれば監査時等に薬袋を開封しなくても済むようになるので、その効用を薬剤と手との直接接触の防止にとどめることなく更に進めて、上記の作業負担まで軽減できるようにすることが望ましい。
また、例え薬袋が透明でなくても、関連する薬袋が調剤順に並んでいて而も纏めて取り扱えれば、医療従事者の作業負担が量的にも質的にも軽減されることが期待できる。そして、そのためには、調剤の順番を維持したい薬剤はそれを詰め込んだ複数の薬袋を一連のものとして纏めて取り扱えるようにすることが要請される。
【０００７】
特に、その纏め方が薬袋トレーの使用を排除しないものであれば、確実な改善が期待できるので、その具現化が要請される。
そこで、調剤の順番が薬袋の並びという物理的な状態に反映され維持されるように一連の薬袋を纏めることができ、しかも、纏めたものの運搬に薬袋トレーを利用できるような薬袋の排出手段・搬出手段を案出することが技術的な課題となる。
この発明は、このような課題を解決するためになされたものであり、一連の薬袋を纏めて取り扱えるうえ薬袋トレーの利用も可能な薬袋袋詰機を実現することを目的とする。
【０００８】
【課題を解決するための手段】
このような課題を解決するために発明された第１乃至第４の解決手段について、その構成および作用効果を以下に説明する。
【０００９】
［第１の解決手段］
第１の解決手段の薬袋袋詰機は、出願当初の請求項１に記載の如く、投入予定薬剤の情報を印字された単票状態の薬袋に薬剤を投入する薬袋袋詰機において、前記薬袋に貫通穴を開けるカッター機構と、細長いハンガー部材を着脱自在に保持するハンガー保持機構と、前記貫通穴に前記ハンガー部材を挿通させて前記ハンガー部材に前記薬袋を吊す懸吊手段と、前記ハンガー部材を受入可能なところへ薬袋トレーを搬送する搬器搬送機構とを設けたものである。
【００１０】
このような第１の解決手段の薬袋袋詰機にあっては、患者や処方箋の同一性などに基づいて関係する一連の薬袋は、同一のハンガー部材に掛けられて、先入れ先出し可能に纏められる。これにより、一連の薬袋は、単票状態に分離されていても、纏めて搬送や監査等に供されるとともに、そのときにも調剤の順番に並んでいるので、取り扱い易いのに取り違い等は起き難いものとなる。また、患者単位や，病室・病棟・診療単位の同一性などに基づいて一緒に搬送しても良い幾つかのハンガー部材は、それぞれが一連の薬袋を繋げたまま、同一のトレーに収納される。
【００１１】
これにより、薬袋トレーを用いた病棟間等での効率良い大量搬送を損なうこと無く、ハンガー部材も利用して一連の薬袋を纏めて取り扱うことができる。
したがって、この発明によれば、ハンガー懸吊方式にて一連の薬袋を纏めて取り扱えるうえ薬袋トレーの利用も可能な薬袋袋詰機を実現することができる。
【００１２】
［第２の解決手段］
第２の解決手段の薬袋袋詰機は、出願当初の請求項２に記載の如く、上記の第１の解決手段の薬袋袋詰機であって、輸液等のボトルを前記薬袋トレーに投入するボトル払出装置が前記搬器搬送機構の上流に設けられている、というものである。
【００１３】
このような第２の解決手段の薬袋袋詰機にあっては、患者や処方箋の同一性などに基づいて関連する薬剤は、袋詰め可能なものについては薬袋とハンガー部材と薬袋トレーとで纏められる一方、袋詰めに適さない大きな輸液ボトル等については関連薬袋と同じ薬袋トレーに投入される。
これにより、薬袋に入りきらないボトルも、薬袋トレーで纏めて、薬袋と一緒に運ぶことができる。また、ボトル投入が薬袋投入より先に行われるので、薬袋中のアンプル等が壊れるおそれも無い。
したがって、この発明によれば、ハンガー懸吊方式にて一連の薬袋を纏めて取り扱えるうえ薬袋トレーにて大きなボトルまでも纏めて取り扱える薬袋袋詰機を実現することができる。
【００１４】
［第３の解決手段］
第３の解決手段の薬袋袋詰機は、出願当初の請求項３に記載の如く、上記の第２の解決手段の薬袋袋詰機であって、前記ボトルの首の断面よりも前記薬袋の貫通穴が広くなっている、というものである。
【００１５】
このような第３の解決手段の薬袋袋詰機にあっては、施用等に供すべく薬袋をハンガー部材から外したとき、それを同時施用等に供される関係深いボトルの首に掛けることで、同時施用等の施用条件が容易かつ確実に守られる。その際、ハンガー部材を抜いた薬袋の貫通穴にボトルの頭を差し込むことで、薬袋とボトルとの物理的な関連付けが、貫通穴を無駄なく利用して行える。
したがって、この発明によれば、ハンガー懸吊方式にて一連の薬袋を纏めて取り扱えるのに加えて薬袋トレーにて大きなボトルまでも纏めて取り扱えるうえ更に薬袋とボトルとの明確な関連付けも容易に行える薬袋袋詰機を実現することができる。
【００１６】
［第４の解決手段］
第４の解決手段の薬袋袋詰機は、出願当初の請求項４に記載の如く、上記の第１〜第３の解決手段の薬袋袋詰機であって、前記ハンガー部材がＵ字状のものでその一端部に逆鈎等の抜落防止用突部が形成されており、前記懸吊手段が前記ハンガー部材に前記薬袋を掛ける際に前記一端部を前記貫通穴に挿通させるようになっている、というものである。
【００１７】
このような第４の解決手段の薬袋袋詰機にあっては、薬袋を掛けたままハンガー部材をトレーに投入しても、薬袋が抜け落ち難いので、一連の薬袋を纏めて取り扱うことが確実に行えることとなる。
したがって、この発明によれば、ハンガー懸吊方式でも一連の薬袋を確実に纏めて取り扱えるうえ薬袋トレーの利用も可能な薬袋袋詰機を実現することができる。
【００１８】
【発明の実施の形態】
このような解決手段で達成された本発明の薬袋袋詰機について、これを実施するための形態を説明する。
【００１９】
［第１の実施の形態］
本発明の第１の実施形態は、上述した解決手段の薬袋袋詰機であって、前記カッター機構が前記貫通穴を開けるに際して湾曲線状の切れ目を入れるようになっている、というものである。
この場合、貫通穴を開けても貫通穴のところが薬袋から欠落する訳でなく、薬袋の部材は印刷情報も含めて総てが残っている。そして、貫通穴にハンガー部材を通したときにも、切れ目の内側部分が変形はしても残っていて、そのハンガー部材を抜けば、薬袋を元に戻すことが可能である。そのため、貫通穴を薬袋の何処に開けても、例え薬剤情報の印刷箇所に開けたとしても、薬剤情報が読取不能になることは無い。
これにより、ハンガー懸吊方式を採用しても、薬袋への薬剤情報には何らの制約も課されないので、ハンガー懸吊方式の具体化が容易に行える。
【００２０】
［第２の実施の形態］
本発明の第２の実施形態は、上述した解決手段および実施形態の薬袋袋詰機であって、前記懸吊手段が、前記薬袋を運んでその貫通穴に前記ハンガー部材を挿通させる薬袋移載機構にて具現されている、というものである。
この場合、ハンガー部材に薬袋を吊すに際して、薬袋がハンガー部材のところへ運ばれる。これにより、ハンガー部材は動かさないでも良くなるので、ハンガー部材に複数・多数の薬袋が掛かっていても、それらの揺れや衝突による薬剤の損壊が回避される。または損壊のおそれが少なくなる。
【００２１】
［第３の実施の形態］
本発明の第３の実施形態は、上述した解決手段および実施形態の薬袋袋詰機であって、前記ハンガー部材が棒材からなりＵ字状に曲がっている、というものである。この場合、多数使用されるハンガー部材を製造する際、汎用の安価な棒材に切断や曲げ加工を施す程度のことで、ハンガー部材が出来上がる。また、ハンガー部材で纏められた薬剤や薬袋を持ち運ぶ際には、Ｕ字状ハンガー部材における中央の曲折部や一端側直線部に薬袋を吊り下げ、他端側直線部に手を掛けて持ち上げることで、両手でも片手でも簡単に運べる。これにより、ハンガー部材が安価かつ容易に製造できるうえ、薬袋を連ねていてもハンガー部材を手に持って運ぶのが楽に行えることとなる。
【００２２】
［第４の実施の形態］
本発明の第４の実施形態は、上述した第３実施形態の薬袋袋詰機であって、前記ハンガー部材の一端部または両端部に内向きの曲げが形成されている、というものである。
この場合、曲げの働きによって、薬袋が抜け落ち難くなるので、取り扱いが一層楽になる。
【００２３】
［第５の実施の形態］
本発明の第５の実施形態は、上述した第３実施形態の薬袋袋詰機であって、前記ハンガー部材の両端部に内向きの曲げが形成されていて、その一方が鋭角になっており、他方が鈍角になっている、というものである。
この場合、薬袋をハンガー部材に掛けるときには鋭角な端部から行い、外すときには鈍角な端部から行うことで、纏めて扱うときの落下防止とその後の順次使用等の容易性との両立を図ることができる。
【００２４】
［第６の実施の形態］
ところで、既述した従来の薬袋袋詰機では、薬剤をバラで投入する場合はもちろん、纏めて投入する場合も、薬剤同士が衝突しその衝撃で薬剤容器が壊れたりしないよう、投入は時間をかけてゆっくり行わなければならなかった。また、アンプルの首など折れやすい部分にボトル等が落下衝突すると、例えゆっくり投入しても損傷しやすいので、そのような薬剤を一緒に袋詰めするのは避けなければならなかった。このため、薬袋袋詰機の利用は未だ限られている。そこで、透明薬袋デリバリ方式の実用化にも十分に役立つべく、薬袋への薬剤投入を従来より短時間で効率良く行っても、さらにアンプルや小ボトル等の各種薬剤を組み合わせて一緒に袋詰めしても、薬剤容器に損傷を与えることなく優しく薬剤の袋詰めがなされるよう、薬剤投入機構に工夫を凝らすことも更なる課題となる。
【００２５】
本発明の第６の実施形態は、そのような課題をも解決するためになされたものであり、上述した解決手段および実施形態の薬袋袋詰機であって、薬剤を薬袋に投入するために、次の薬袋保持機構と搬送機構とを備えたものである。すなわち、薬袋保持機構は、前記薬袋を薬剤投入位置に又はその下方に保持してその口を開けるものである。また、搬送機構は、薬剤投入機構として機能すべく前記薬剤を前記薬剤投入位置まで搬送して落下させるものであって、具体的には、薬剤受入位置から前記薬剤投入位置まで水平に延びた第１ベルトコンベヤーユニットと、これに並走して前記薬剤受入位置から前記薬剤投入位置に向かう第２ベルトコンベヤーユニットと、これの搬送路に斜交して設けられたガイド部材と、前記第１ベルトコンベヤーユニットの搬送路先端を開閉するシャッター部材とを具備している。
【００２６】
この場合、投入予定薬剤は、薬剤受入位置で搬送機構に渡されるとき、第１，第２ベルトコンベヤーユニット双方の搬送路上に広がるので、重なりあって壊れるという心配が無い。それから薬剤投入位置に向けて搬送されるが、その際、第２ベルトコンベヤーユニット上の薬剤がガイド部材によって第１ベルトコンベヤーユニット上へ移され、それらの合流薬剤がシャッター部材によってその手前に留められて、再び纏められる。そして、薬袋の準備が調ったところで、その口から薬袋中へ投入される。こうして、薬剤が薬剤受入口から薬剤投入位置まで搬送されるとき、それに伴い、薬剤がガイド部材によって集合させられると同時に或る程度は整列もさせられる。そして、この整列集合機能により、薬剤を搬器から薬袋へ直に纏めて投入するよりも優しく、単にコンベヤーを介してバラバラに投入するよりも素早く、薬袋への薬剤投入が行えることとなる。したがって、この実施形態によれば、薬袋への薬剤投入を優しく且つ素早く行える薬袋袋詰機を実現することができる。
【００２７】
［第７の実施の形態］
本発明の第７の実施形態は、上述した第６実施形態の薬袋袋詰機であって、前記第１ベルトコンベヤーユニットが前記第２ベルトコンベヤーユニットより長くなっている、というものである。
この場合、第２ベルトコンベヤーユニットの先端が薬剤投入位置まで来ないので、第１ベルトコンベヤーユニットの先端を薬袋の口に近づけることや或いは口の中に一時挿入することも可能となる。これにより、衝撃を少なくしながらも薬剤の投入は確実に行える。
【００２８】
［第８の実施の形態］
本発明の第８の実施形態は、上述した第７実施形態の薬袋袋詰機であって、前記第１ベルトコンベヤーユニットが、前記薬剤投入位置に向けて進退可能なものであり、前記シャッター部材の開動作に同期して搬送および後退を行うようになっている、というものである。
この場合、開動作と搬送とによって薬剤が確実に薬袋の口中へ落とされるとともに、同時になされる後退によって薬剤の水平方向運動は抑制されるので、薬剤は静かに落下する。これにより、薬剤投入が更に優しいものとなる。
【００２９】
［第９の実施の形態］
本発明の第９の実施形態は、上述した第６〜第８の実施形態の薬袋袋詰機であって、前記第１ベルトコンベヤーユニットが前記第２ベルトコンベヤーユニットより速く搬送するようになっている、というものである。
この場合、搬送速度に差のあるところでは薬剤の長手方向が搬送方向を向きやすくなるので、搬送に伴って或る程度の薬剤整列も行われる。その整列機能にてガイド部材の整列集合機能が強化されることにより、比較的簡単な装置構成でも、薬剤の合流や再集合が一層円滑かつ的確に行われる。
【００３０】
このような解決手段や実施形態で達成された本発明の薬袋袋詰機について、これを実施するための具体的な形態を、以下の第１，第２実施例により説明する。図１〜図５に示した第１実施例は、上述した第１，第４の解決手段および各実施形態を具現化したものである。図６，図７に示した第２実施例は、上述した第２，第３の解決手段を具現化した応用例であり、他の装置と連携する調剤システムとなっている。
なお、それらの図示に際しては、簡明化等のため、一般的な筐体パネルや，ベース，フレーム，ボルト等の締結具，ヒンジ等の連結具、電動モータ等の駆動部材などは図示を割愛し、発明の説明に必要なものや関連するものを中心に図示した。
【００３１】
【第１実施例】
本発明の薬袋袋詰機の第１実施例について、その具体的な構成を、図面を引用して説明する。図１は、その要部の構造を示す斜視図である。
【００３２】
この薬袋袋詰機１０には、単票状態の薬袋２を薬剤投入可能に保持する薬袋保持機構２０と、薬剤を薬袋に投入する薬剤投入機構としての搬送機構３０と、ヒートシールヘッド５１を含む封止機構と、カッター刃５２を含むカッター機構と、細長いハンガー５３（ハンガー部材）をストックしておくハンガーレール５４を含むハンガー保持機構と、ロッド５５を含む薬袋移載機構（懸吊手段）とが、図示しない筐体内に具備されている。また、薬剤投入後の薬袋２の入った薬袋トレー５６を搬出するコンベア５７（搬器搬送機構）も具備されており、これは、一部が薬袋袋詰機１０に組み込まれて、筐体の内外に亘っている。これらは、何れも、図示しないコントローラによりプログラムに従って制御されて連携動作するようになっている。
【００３３】
また、薬袋への印刷に加えて薬袋の単票化も行うプリンタ１１や、プリンタ１１から薬袋保持機構２０まで薬袋２を移送するリフタ１２及びシフタ１３、薬剤受入位置で薬剤３を薬剤トレー４から搬送機構３０に移載するアーム１４も、この例では筐体内に具備されているが、これらは外付けでも良く、必須でも無い。その他、投入予定薬剤の入った薬剤トレー４を搬入するコンベア５も、一部が薬袋袋詰機１０に組み込まれて、筐体の内外に亘っている。これらもコントローラのプログラム制御にて連携動作するようになっている。
【００３４】
プリンタ１１は、長く連続した薬袋材料１に投入予定薬剤の情報を印字するとともに、所定長だけ送り出してから切断も行うが、それに加えて、何れか一方の切断部を加熱溶着等にてシールすることで、単票状態の薬袋２を作成するようになっている。薬袋２のシールされなかった切断部は開閉可能な口２ａとなる。薬袋材料１は、透明で柔らかいプラスチックフィルムからなり、長い筒状体に形成して、それを巻き取ってロール紙状にしたものである。薬剤の情報は、処方箋データや派生した調剤データ等から得られ、例えば、薬品名や，数量，患者名などが印刷されるようになっている。
【００３５】
シフタ１３は、薬袋２を乗載可能なベルトコンベア或いはテーブル等からなり、プリンタ１１から排出される単票の薬袋２を排出速度に同期して水平に移送することで、薬袋２を広げた状態で受け取るようになっている。また、リフタ１２は、シフタ１３上の薬袋２を真空吸着等にて持ち上げて、薬袋保持機構２０のプレート２２上へ運ぶことで、薬袋２を水平に広げたまま移送するようになっている。なお、このような薬袋移送手段１２，１３は、そこに次のオープナー２１やプレート２２を配置すれば、省いても良い。
【００３６】
薬袋保持機構２０には、薬袋２を受け取るプレート２２と、口２ａを開けるオープナー２１とが設けられている。プレート２２は、ほぼ平坦な板状体からなり、薬袋２の保持面に真空吸着用の小孔等が形成されており、支軸２３にて揺動可能・回転可能に支持され水平と鉛直いずれの状態もとれるようになっている。水平状態で保持面が上を向くようにもなっており、後に詳述するカッター刃５２を挿通可能な逃げ穴２２ａも貫通形成されている。オープナー２１も、ほぼ平坦な水平の板状体からなり、下面に真空吸着用の小孔等が形成されており、プレート２２の上方で上下動可能に支持されている。何れも真空吸着面・真空吸着範囲が薬袋２より狭くなっており、薬袋２を上下から挟んで吸着して離れることで口２ａを大きく開かせるようになっている。なお、オープナー２１とリフタ１２とを一体化して、部品点数の削減や引渡工程の省略を図るのも良い。
【００３７】
搬送機構３０は、薬剤３を薬剤受入位置から薬剤投入位置まで搬送して落下させるために、その間に亘って水平にエンドレスベルトを延ばしたコンベア３１（第１ベルトコンベヤーユニット）を具備しており、その先端部には搬送路の開閉を行うシャッタ３６（シャッター部材）が付設されている。
また、それだけでなく、この搬送機構３０には、従来は無かったコンベア３２，３３（第２ベルトコンベヤーユニット）とガイド３４，３５（ガイド部材）も設けられている。さらに、コンベア３１には図示しない直線往復駆動機構も付設されていて、コンベア３１が搬送方向と同じ向きに即ち薬剤投入位置に向けて進退しうるようになっている。
【００３８】
コンベア３２，３３は、コンベア３１同様にベルト搬送を行うものであるが、長さがコンベア３１より短い。コンベア３１の両脇に分かれ、基端部を揃えて並列に設置されて、コンベア３１に並走して薬剤受入位置から薬剤投入位置に向かうが薬剤投入位置には至らないものとなっている。また、これによって基端側が複線化された搬送機構３０は、薬剤受入位置のところの搬送路の幅が拡張され、薬袋受入範囲・薬袋受入面積の広いものとなる。なお、コンベア３２，３３は、何れか１本に減らしても良く、３本以上に増やしても良い。
【００３９】
ガイド３４，３５は、他の側板や，仕切部材，シャッタ３６等と共に搬送機構３０の搬送路を囲んで、薬剤３が搬送路からこぼれ落ちないようにしているが、特にガイド３４，３５は、その搬送路に斜交して設けられている。具体的には、薬剤受入位置側がコンベア３２，３３上方に位置し、薬剤投入位置側がコンベア３１上方に位置して、搬送路の幅を徐々に狭めるようになっている。なお、搬送路に余裕があれば、ガイド３４，３５の手前にもそれらと同じか少し短い斜交ガイド３４ａ，３５ｂを設けて（図２（ａ）参照）、ガイド部材を複列化・多列化すると一層良い。
【００４０】
コンベア３１，３２，３３の搬送速度は何れもコントローラのパラメータ設定等にて変更や調整が可能になっているが、その設定に際しては、コンベア３１の搬送速度がコンベア３２及びコンベア３３の搬送速度より速くなるよう、プログラムにて条件が課される又は設定値が矯正されるようにもなっている。
コンベア３１の前進速度もコントローラのパラメータ設定等にて変更や調整が可能になっているが、コンベア３１の後退速度はコンベア３１の搬送速度と同じに自動設定される。また、薬剤投入のためにシャッタ３６を開けたときは直ちに搬送動作と後退動作とをコンベア３１に行わせるようにも、コントローラがプログラムされている。
【００４１】
ヒートシールヘッド５１には細長い発熱体が設けられており、封止機構は、ヒートシールヘッド５１をプレート２２上方で上下動させるとともに、プレート２２に当接させたときに通電も行うことで、プレート２２上の薬袋２の口２ａ部分を加熱して溶着させるようになっている。なお、ヒートシールヘッド５１は、その全体または一部がオープナー２１と一体化されていても良く、封止機構は、薬袋２の口２ａを恒久的に封じ得るものであれば、加圧や接着など他の方式のものでも良い。
【００４２】
カッター刃５２は、刃形がＵ字状やＶ字状あるいは一部欠けた不完全な円弧状になっており、カッター機構は、カッター刃５２を下向きにしてプレート２２上方で上下動させるようになっている。そして、カッター刃５２が薬袋２と共にプレート２２を逃げ穴２２ａのところで貫ぬくことで、薬袋２にカッター刃５２の刃形と同じ湾曲線状の切れ目が入れられ、ハンガー５３挿通用の貫通穴２ｂが形成されるようになっている。なお、図示のようにカッター刃５２とオープナー２１とを別体にしてカッター刃５２の作動時にオープナー２１が逃げるようにしても良く、図示は割愛したが、オープナー２１にもプレート２２の逃げ穴２２ａと同様の逃げ穴を形成しておいても良く、カッター刃５２をオープナー２１に装着しても良い。
【００４３】
ハンガー５３は、丈夫で曲げ加工にも適した例えばステンレススチール等の棒材から作られ、全体的にはＵ字状になるよう曲げられる。そして、曲折部から２本の直線部がほぼ平行に延びており、その両端部には内向きの局部的な曲げが更に形成されたものとなっている（図４も参照）。その一方（一端部）は百数十度も曲げられて鋭角端５３ａとなり、そこには釣り針の返しのような抜落防止用突部が形成されている。他方（他端部）は数十度だけ曲げられて鈍角端５３ｂとなっている。
【００４４】
ハンガーレール５４は、水平に設置された平行なパイプ等からなり、多数のハンガー５３を横向きにして掛けられるようになっている。ハンガー保持機構には、図示したハンガーレール５４に加えて、図示は割愛したが、薬袋２の受取位置である鉛直状態のプレート２２の前方位置へ先頭のハンガー５３を送り出す機構や、そこにハンガー５３を一時固定させる機構、そのハンガー５３をハンガーレール５４から外して薬袋トレー５６へ送り出す機構なども設けられている。なお、ハンガーレール５４は、パイプに限らず、例えば長板等からなるものでも良く、ハンガー保持機構も、レール方式に限られるものでなく、他の方式たとえばベルト搬送方式やアーム移送方式などであっても、複数のハンガー５３を着脱自在に保持して順に供給しうるものであれば良い。
【００４５】
ロッド５５は、図示しないエアシリンダ又はボールネジ等の直線駆動部材に連結されていて往復運動するものであり、その先端部で鉛直状態のプレート２２をハンガーレール５４に向けて進退させるようになっている。薬袋移載機構は、そのような駆動付きのロッド５５とプレート２２とにて具体化されており、前進したとき、そこで待っている先頭のハンガー５３に薬袋２を引き渡すために、薬袋２の貫通穴２ｂ及びプレート２２の逃げ穴２２ａがハンガー５３の鋭角端５３ａを目掛けて進みハンガー５３が穴２ｂに挿通するよう、進行方向や行程が設定されている。なお、ロッド５５は、プレート２２や薬袋２をハンガー５３のところへ運べれば他の形状のものでも良く、薬袋移載機構は、兼用のプレート２２とは別個の独立した部材にて薬袋２を保持して運ぶようになっていても良い。
【００４６】
その他、この薬袋袋詰機１０には、袋詰め対象の薬剤３が自動搬入されることに対応して、薬袋受入位置の近くにアーム１４等からなる薬剤移載手段が設けられている。アーム１４は、コンベア５で運ばれて来た薬剤トレー４を薬袋受入位置で傾動させて薬剤トレー４から薬剤３を搬送機構３０の搬送路上に移し替えるものである。図示したのは押し上げるタイプのものであるが、引っ張る方式でも良く、把持する方式でも、移載できれば良い。
【００４７】
薬剤トレー４は、プラスチック製の小箱であり、上面開口の縁に鍔状の張出部が形成されている。コンベア５は、薬剤トレー４の２辺の張出部を上下から挟んで搬送するようになっている。これにより、搬送音や，その他の騒音，振動が、ほとんど無くなった。また、底面全体の搬送機構と比べ、つば搬送は構造がシンプルでメンテナンスもしやすい。
【００４８】
薬袋トレー５６も上面の開いたプラスチック製の箱であるが、これは、コンベア５７での搬送に加えて人手での運搬もなされることや、袋詰め終了後の薬袋２を一個に限らず複数・多数収容することもあるため、コンベア５７は、ベルトの上に薬袋トレー５６の底面を乗せて薬袋トレー５６の搬送を行い、その際にハンガーレール５４からハンガー５３が送り出されるところの下方を通過させたり一時停止させたりするようになっている。なお、搬器搬送機構としてのコンベア５７は、ベルト搬送方式が一般的であるが、ハンガー５３を受入可能なところへ薬袋トレー５６を搬送するものであれば、レール搬送方式やアーム搬送方式など他の搬送方式のものでも良い。
【００４９】
この第１実施例の薬袋袋詰機について、その使用態様及び動作を、図面を引用して説明する。図２（ａ）〜（ｄ）は、何れも搬送機構の平面図であり、その薬剤搬送動作に伴う整列集合状態を時系列で示している。また、図３（ａ）〜（ｄ）は、何れも搬送機構および薬袋保持機構についての薬剤投入位置近傍部分の側面図であり、その薬剤投入動作を時系列で示している。さらに、図４（ａ）〜（ｄ）は、何れも薬袋保持機構のプレート２２とハンガー保持機構のレール５４と先頭のハンガー５３との側面図であり、それらを作動させる懸吊手段の薬袋懸吊動作を時系列で示している。また、図５は、ハンガー部材で纏めた一連の薬袋の取扱状況を示し、（ａ）が薬袋トレー収容状態の斜視図、（ｂ）が持ち運び状態、（ｃ）が薬袋の取り外し方、（ｄ）が外した薬袋の正面図である。
【００５０】
この薬袋袋詰機１０は、一緒に袋詰めされる幾つかの薬剤３が薬剤トレー４に収容されてコンベア５にて搬入されるとともに、薬剤３を詰め込まれた一連の薬袋２がハンガー５３にて纏められてから薬袋トレー５６に収容されてコンベア５７にて搬出されるような環境下で使用され、搬入された薬剤３を薬剤トレー４から受け入れて薬袋２に投入するとともに、その薬袋２に投入予定薬剤の情報を印刷することも行う。スループット向上のため投入準備と情報印刷はできるだけ並行になされる。
【００５１】
すなわち（図１参照）、処方箋データ等に基づいて必要な薬剤３が収集され、それを収容した薬剤トレー４が搬入されると又は搬入予定の通知等を受けると、コントローラの指示に従ってプリンタ１１が作動し、それによって薬剤３の情報を印字された単票状態の薬袋２が作成される。その薬袋２は、リフタ１２によって薬袋保持機構２０のところへ移送され、水平状態のプレート２２に乗せられて吸着される。こうして、薬剤投入位置に保持される。それから、薬袋２は、オープナー２１の一連の動作によって具体的には下降と吸着と上昇という動作によって、口２ａが大きく開けられる。こうして、薬袋２が口を開けた状態で薬剤投入位置に保持され、薬袋２側は薬剤投入が可能な状態となる。
【００５２】
一方（図１参照）、薬剤トレー４がコンベア５にて薬剤受入位置まで搬送されて来ると、その薬剤トレー４がアーム１４によって傾動させられるので、それに入っていた薬剤３は、コンベア３１，３２，３３の搬送路上に移し替えらる。その搬送路は薬剤受入位置のところが広いので、速やかに移しても、薬剤３は、こぼれ落ちることが無く、ぶつかり合ったり重なり合うことも少ない（図２（ａ）参照）。こうして、薬剤３の移載が迅速かつ安全に行われる。
【００５３】
それから、搬送機構３０が搬送動作を開始して、薬剤３が薬剤受入位置から薬剤投入位置へ向けて（図２では左から右へ）搬送されるが、その際、中央のコンベア３１による搬送が高速なのに対し、両脇を並走するコンベア３２，３３の搬送は低速なことから、両搬送路に亘って置かれた薬剤３は搬送に伴って徐々に中央寄りの端部を前に向ける（図２（ｂ）参照）。そして、ガイド３４，３５に当接すると、それに沿って無理なく中央に寄せられて集められ（図２（ｃ）参照）、シャッタ３６の手前に整列集合させられる。こうして、薬剤３も投入可能な状態となる。しかも、そのとき（図２（ｄ）参照）、整然として、貯留され、投入を待つ。
【００５４】
薬剤投入位置に薬剤３と薬袋２とが揃うと（図３（ａ）参照）、コンベア３１が前進して先端部がシャッタ３６や薬剤３と共に薬袋２の中に進入する（図３（ｂ）参照）。そして、シャッタ３６が開くとともに、それに同期してコンベア３１の搬送動作と後退動作も行われる（図３（ｃ）参照）。すると、薬剤３が先端の方から順に落下するが、コンベア３１の搬送速度と後退速度との相殺によって薬剤３の水平方向速度はほぼ零になる。こうして、薬剤３は静かに落下して薬袋２内に投入され、コンベア３１は薬袋２から出る（図３（ｄ）参照）。
【００５５】
薬剤の投入を終えると（図１参照）、オープナー２１が薬袋２から離れ、その代わりにヒートシールヘッド５１が薬袋２の上に降りてきて、薬袋２は、プレート２２上に保持された状態で口２ａを封じられる。また、カッター刃５２もプレート２２の逃げ穴２２ａに挿通するまで下降して来て、薬袋２に湾曲線状の切れ目が入れられ、貫通穴２ｂが開けられる。そして、穴２ｂの形成後にカッター刃５２が上昇して戻り、口２ａの封止後にヒートシールヘッド５１が上昇して戻ると、プレート２２が揺動して鉛直状態になる。
こうして、一つの薬袋２に薬剤３を詰め込む処理が完了する。
【００５６】
それから（図４参照）、薬袋２を縦に保持したままプレート２２がロッド５５の駆動にて前進し（図４（ａ）参照）、ハンガーレール５４に保持されているハンガー５３のうち先頭のもののところまで進み（図４（ｂ）参照）、そこでプレート２２が薬袋２の吸着を停止して後退すると（図４（ｃ）参照）、そのハンガー５３に薬袋２が懸吊状態で残される。なお、ハンガー５３は何れも予めストックする際に鈍角端５３ｂを上にし鋭角端５３ａを下にして且つプレート２２側に向けてハンガーレール５４にセットしておく。
【００５７】
こうして、薬剤３を詰め込んだ一つの薬袋２がハンガー５３に吊り下げられる。それから、それ単独で搬出して良ければ、そのハンガー５３及び薬袋２が薬袋トレー５６に投入される。このトレー５６はコンベア５７によってハンガー５３を受入可能なところへ予め搬送されて待っている。また、処方箋同一や患者同一等の基準に基づいて調剤の順番を維持したい薬袋２が他に有れば、上述した袋詰め動作が必要なだけ繰り返されて、その一連の薬袋２も次々と同じハンガー５３に吊り下げられる（図４（ｄ）参照）。そして、それが薬袋トレー５６に投入される。
【００５８】
さらに、病棟同一等の基準に基づいて一緒に運んだ方が都合の良い薬袋２もあれば、それも同様にして他のハンガー５３にて纏められ、同じ薬袋トレー５６に投入される（図５（ａ）参照）。その後、ハンガー５３及び薬袋２を収容した薬袋トレー５６がコンベア５７によって搬出される。
こうして、この薬袋袋詰機１０にあっては、アンプル等の壊れやすい容器に入った薬剤でも安全に、且つ、従来よりも高いスループットで迅速に、薬袋袋詰の自動処理が実行される。そして、袋詰め後の薬袋のうち一連のものは、調剤順序を維持してハンガー部材に懸吊され纏められる。
【００５９】
調剤済み薬剤３を収容した薬袋トレー５６は、薬袋袋詰機１０又は後続装置から取り出されると、人手で監査部門や病棟のナースセンター等に運ばれる。そこでは、ハンガー５３を持って一連の薬袋２が一緒に取り扱われるので（図５（ｂ）参照）、薬剤３が手に直接触れることが無く、薬袋２の並び順が入れ替わることも無い。内向きの鋭角端５３ａ及び鈍角端５３ｂの存在により、ハンガー５３が斜めになったときでも、薬袋が不所望に抜け落ちる心配もほとんど無い。
【００６０】
そして、手術前室や病室などで施用するとき又は施用に備えるときには、施用対象の薬剤３の入っている薬袋２をハンガー５３から外すが、そのとき、鈍角端５３ｂ側から順に取り出すことで、自動調剤の順番通りに使用がなされる。鋭角端５３ａ側からは薬袋２が引っ掛かって取り出し難いことから、自然に鈍角端５３ｂ側から取り出されるので、適切な先入れ先出し処理が無理なく実行される（図５（ｃ）参照）。また、ハンガー５３から外された薬袋２は、穴２ｂが形成されていても、その部分が欠落することなく残っているので、その部分も含めて印刷情報を確認することが可能であり（図５（ｄ）参照）、その情報と収納薬剤３との一致確認等も薬袋２が透明なので、薬袋２を破くことなく行える。
【００６１】
【第２実施例】
本発明の薬袋袋詰機の第２実施例である調剤システムについて、その構成を説明する。図６（ａ）は平面配置図、同図（ｂ）は正面配置図である。
【００６２】
この自動調剤システム４０には、上述した薬袋袋詰機１０に加えて、例えばアンプル入り注射薬の自動払出を行う薬剤払出機４１と、例えば５０ｍｌや１００ｍｌの小さなボトルに収められた水剤を自動で払い出す薬剤払出機４２と、空の薬袋トレー５６を供給するトレーサプライヤー４３と、例えば５００ｍｌや１０００ｍｌの比較的大きな輸液ボトル等を払い出す薬剤払出機４４（ボトル払出装置）と、例えばバッグ入りのソフト・キット薬品等を払い出す薬剤払出機４５と、薬剤３入りの薬袋２を収容した薬袋トレー５６を監査等に備えて取出可能にストックしておくトレーストッカー４６も設けられている。
【００６３】
それらのうち薬剤払出機４１，４２は、コンベア５を含んだ搬送装置を介して薬袋袋詰機１０と連結されており、その搬送経路が一巡していて（図４の矢付き一点鎖線を参照）、薬剤トレー４が循環するようになっている。
また、トレーサプライヤー４３と薬剤払出機４４，４５とトレーストッカー４６は、コンベア５７を含んだ搬送装置を介して薬袋袋詰機１０と連結されており、薬袋トレー５６がトレーサプライヤー４３，薬剤払出機４４，薬剤払出機４５，トレーストッカー４６，薬袋袋詰機１０，再びトレーストッカー４６をその順に搬送されるようになっている（図４の矢付き二点鎖線を参照）。
【００６４】
このような自動調剤システム４０は、輸液ボトル５８を薬袋トレー５６に投入するボトル払出装置４４が薬袋袋詰機１０の搬器搬送機構５７の上流に設けられたものとなっている。
また、この薬袋袋詰機１０のカッター刃５２は、最大の輸液ボトル５８の首の断面よりも広い貫通穴２ｂを薬袋２に開けるよう、Ｕ字状刃形の幅も高さも輸液ボトル５８の首や頭の直径より大きくなっている。
【００６５】
この第２実施例の調剤システム４０について、その使用態様及び動作を、図面を引用して説明する。図７は、薬袋２及びボトル５８の取扱状況を示し、（ａ）が薬袋トレー収容状態の斜視図、（ｂ）が薬袋２をボトル５８の首に掛けたところの斜視図である。
【００６６】
この場合、図示しない上位の処方オーダリングシステム等から処方箋データが送信されて来ると、それに応じて自動調剤システム４０では、アンプル等が処方されていればそれが薬剤払出機４１から払い出され、小ボトル入り薬剤が処方されていればそれが薬剤払出機４２から払い出され、それらが薬剤トレー４に収集されて、薬袋袋詰機１０にコンベア５にて搬入される。薬袋袋詰機１０では、上述したようにして、透明な薬袋２に薬剤情報が印刷されるとともにアンプル等の薬剤３が詰め込まれ、それがハンガー５３にて纏められる。
【００６７】
それと並行して、トレーサプライヤー４３からは、空の薬袋トレー５６が送り出される。その薬袋トレー５６には、処方対象の輸液ボトル５８やソフト・キット薬品などが薬剤払出機４４，４５から払い出される。それから、その薬袋トレー５６は、トレーストッカー４６を通過して、薬袋袋詰機１０にコンベア５７にて搬入される。そして、袋詰め済み薬袋２及びハンガー５３を追加投入されてから、トレーストッカー４６に戻される。
こうして、この自動調剤システム４０にあっては、袋詰め可能な薬剤３は薬袋２に封入されて人手に触れないようになり更に一連の薬袋２はハンガー部材５３にて纏められるとともに、袋詰めに適さない輸液ボトル５８等の薬剤も薬袋トレー５６を利用してバラバラにならないよう患者単位や病棟単位など適宜な単位で纏められる（図７（ａ）参照）。
【００６８】
また、そのような薬袋２に収納されている薬剤３を施用するとき同時に同一トレー中の輸液ボトル５８も使用するという関係があって、ハンガー５３で纏められている各薬袋２と薬袋２に入っていない各輸液ボトル５８とを物理的に関連付けした方が好都合な場合には、薬袋２をハンガー５３から外したとき直ちに、ハンガー５３を抜いた薬袋２の穴２ｂに関係深い輸液ボトル５８の頭部を通して薬袋２を輸液ボトル５８の首からぶら下げる（図７（ｂ）参照）。
こうして、穴２ｂを再利用することで容易に薬袋２とボトル５８との物理的関連付けを確立することができる。
【００６９】
【発明の効果】
以上の説明から明らかなように、本発明の第１の解決手段の薬袋袋詰機にあっては、一連の薬袋がハンガー部材に順次掛けられてから薬袋トレーに収容されるようにしたことにより、一連の薬袋を纏めて取り扱えるうえ薬袋トレーの利用も可能な薬袋袋詰機を実現することができたという有利な効果が有る。
【００７０】
また、本発明の第２の解決手段の薬袋袋詰機にあっては、薬袋トレーにボトルも投入されるようにしたことにより、ハンガー懸吊方式にて一連の薬袋を纏めて取り扱えるうえ薬袋トレーにて大きなボトルまでも纏めて取り扱える薬袋袋詰機を実現することができたという有利な効果を奏する。
【００７１】
さらに、本発明の第３の解決手段の薬袋袋詰機にあっては、ハンガー部材を抜いた薬袋の貫通穴にボトルの頭を差し込めるようにもしたことにより、ハンガー懸吊方式にて一連の薬袋を纏めて取り扱えるのに加えて薬袋トレーにて大きなボトルまでも纏めて取り扱えるうえ更に薬袋とボトルとの明確な関連付けも容易に行える薬袋袋詰機を実現することができたという有利な効果が有る。
【００７２】
また、本発明の第４の解決手段の薬袋袋詰機にあっては、ハンガー部材を薬袋の抜け難い形状にしたことにより、ハンガー懸吊方式でも一連の薬袋を確実に纏めて取り扱えるうえ薬袋トレーの利用も可能な薬袋袋詰機を実現することができたという有利な効果を奏する。
【図面の簡単な説明】
【図１】本発明の薬袋袋詰機の第１実施例について、要部の構造を示す斜視図である。
【図２】搬送機構の薬剤搬送動作を時系列で示した平面図である。
【図３】搬送機構の薬剤投入動作を時系列で示した側面図である。
【図４】懸吊手段の薬袋懸吊動作を時系列で示した側面図である。
【図５】ハンガー部材で纏めた一連の薬袋の取扱状況を示し、（ａ）が薬袋トレー収容状態の斜視図、（ｂ）が持ち運び状態、（ｃ）が薬袋の取り外し方、（ｄ）が外した薬袋の正面図である。
【図６】本発明の薬袋袋詰機の第２実施例としての調剤システムについて、（ａ）が平面配置図、（ｂ）が正面配置図である。
【図７】薬袋とボトルとの取扱状況を示し、（ａ）が薬袋トレー収容状態の斜視図、（ｂ）が薬袋をボトルの首に掛けたところの斜視図である。
【符号の説明】
１    薬袋材料
２    薬袋（透明薬袋）
２ａ        口（薬剤投入口）
２ｂ        穴（ハンガー部材挿通用の貫通穴）
３    薬剤（容器入り薬剤、袋詰対象薬品、投入予定薬剤）
４    薬剤トレー（薬剤受入位置側の循環搬器）
５    コンベア（薬剤トレーの搬送手段）
１０  薬袋袋詰機
１１        プリンタ（単票薬袋作成手段、薬袋印刷手段）
１２        リフタ（薬袋移送手段）
１３        シフタ（薬袋移送手段）
１４        アーム（薬剤移載手段）
２０  薬袋保持機構
２１        オープナー（開け部材）
２２        プレート（受け部材、揺動板）
３０  搬送機構（薬剤受入位置から薬剤投入位置へ延びる薬剤投入機構）
３１        コンベア（第１ベルトコンベヤーユニット）
３２，３３  コンベア（第２ベルトコンベヤーユニット）
３４，３５  ガイド（案内手段、絞り手段、斜交ガイド部材）
３６        シャッタ（一時貯留手段、開閉シャッター部材）
４０  自動調剤システム
４１，４２  薬剤払出機（袋詰対象薬品の払出装置）
４３        トレーサプライヤー（薬袋トレーの供給装置）
４４，４５  薬剤払出機（袋詰対象外薬品の払出装置）
４６        トレーストッカー（薬袋トレーの収納装置）
５１  ヒートシールヘッド（封止機構）
５２  カッター刃（切れ目形成部材、穴開け部材、カッター機構）
５３  ハンガー（吊持部材、ハンガー部材）
５３ａ      鋭角端（射し込み側、一端部、抜落防止用突部形成部位）
５３ｂ      鈍角端（抜き取り側、他端部）
５４  ハンガーレール（ハンガーストック部、ハンガー保持機構）
５５  ロッド（進退機構、薬袋移載機構、懸吊手段）
５６  薬袋トレー（薬剤投入位置側の持ち運び搬器、トレー）
５７  コンベア（薬袋トレーの搬送手段、搬器搬送機構）
５８  輸液ボトル（ボトル）
【図１】
2004148035.tif 000003
【図２】
2004148035.tif 000004
【図３】
2004148035.tif 000005
【図４】
2004148035.tif 000006
【図５】
2004148035.tif 000007
【図６】
2004148035.tif 000008
【図７】
2004148035.tif 000009